(57)【特許請求の範囲】
【請求項１】
一対のレンズと前記レンズそれぞれの周壁部分に取り付けられ前記レンズの内端部寄りで互いに連結されているフレームと、前記レンズの外端部寄りで前記フレームにバックルを介して取り付けられているヘッドバンドとを有するスイミングゴーグルにおいて、
前記レンズが硬質樹脂で形成される一方、前記フレームが柔軟弾性樹脂で形成されていて前記周壁部分に外側から当接する環状部と前記スイミングゴーグルの着用者の顔面に密着する接顔パッドとを有するとともに、前記環状部が前記レンズの上方部分と下方部分とから前記スイミングゴーグルの後方へ向かって延びる上方アームと下方アームとを有し、前記上方アームと下方アームとが前記柔軟弾性樹脂からなるもので可撓性を有し、前記バックルが前記上方アームと前記下方アームとの後端部分を上下につなぐ連結部に取り付けられていることを特徴とする前記スイミングゴーグル。
【請求項２】
前記バックルが、前記フレームの材料よりも硬質の樹脂で形成されている請求項１記載のスイミングゴーグル。
【請求項３】
前記バックルが、前記スイミングゴーグルの前方から前記連結部に取り外し可能に嵌合している請求項１または２記載のスイミングゴーグル。
【請求項４】
前記バックルが、前記アームおよび連結部いずれかの弾性変形下に前記連結部に嵌合している請求項３に記載のスイミングゴーグル。
【請求項５】
前記連結部が、前記柔軟弾性樹脂で形成されている請求項１〜４のいずれかに記載のスイミングゴーグル。
【発明の詳細な説明】
【０００１】
【発明の属する技術分野】
この発明は、スイミングゴーグルに関する。
【０００２】
【従来の技術】
特開平１１−１０４２６７号公報に開示の水中メガネは、ポリカーボネート樹脂製の一対のレンズ部材を有し、各レンズ部材の上方部分と下方部分とからメガネの後方へ向かって２条のアームが延びている。これら２条のアームは、後端部どうしが互いに接近してつながっている。ヘッドバンド５は、比較的細いゴムひもからなり、アーム後端部に形成された挿通孔に通されている。
【０００３】
【発明が解決しようとする課題】
前記従来の水中メガネは、２条のアームによってヘッドバンドからの張力をメガネの上下方向へ幅広く分散し、メガネの接顔パッド全体を一様に顔面に当接することができる。しかしながら、アームとレンズとは剛性の高い合成樹脂で一体的に成形されたもので、例えば水中へ飛び込んだときにアームにかかる衝撃力は、直ちにレンズへ伝わり、レンズの位置がずれるということがある。また、アームの一方に加わった力はすぐにもう一方のアームへ伝わり、２条のアームが協働してレンズに位置ずれを生じさせるということもある。さらにはまた、ヘッドバンドによってアームが後方へ強く引っ張られると、その力がそのままレンズに作用してレンズが後方へずれ易いということもある。
【０００４】
この発明では、前記従来技術に見られるような剛性の高いアームのもつ問題を解消する新規なスイミングゴーグルの提供を課題にしている。
【０００５】
【課題を解決するための手段】
前記課題を解決するために、この発明が対象とするのは、一対のレンズと前記レンズそれぞれの周壁部分に取り付けられ前記レンズの内端部寄りで互いに連結されているフレームと、前記レンズの外端部寄りで前記フレームにバックルを介して取り付けられているヘッドバンドとを有するスイミングゴーグルである。
【０００６】
かかるスイミングゴーグルにおいて，この発明が特徴とするところは、前記レンズが硬質樹脂で形成される一方、前記フレームが柔軟弾性樹脂で形成されていて前記周壁部分に外側から当接する環状部と前記スイミングゴーグルの着用者の顔面に密着する接顔パッドとを有するとともに、前記環状部が前記レンズの上方部分と下方部分とから前記スイミングゴーグルの後方へ向かって延びる上方アームと下方アームとを有し、前記上方アームと下方アームとが前記柔軟弾性樹脂からなるもので可撓性を有し、前記バックルが前記上方アームと前記下方アームとの後端部分を上下につなぐ連結部に取り付けられていること、にある。
【０００７】
かかる発明には、以下の好ましい実施態様がある。
（１）前記バックルが、前記フレームの材料よりも硬質の樹脂で形成されている。
（２）前記バックルが、前記スイミングゴーグルの前方から前記連結部に取り外し可能に嵌合している。
（３）前記バックルが、前記アームおよび連結部のいずれかの弾性変形下に前記連結部に嵌合している。
（４）前記連結部が、前記柔軟弾性樹脂で形成されている。
【０００８】
【発明の実施の形態】
添付の図面を参照し、この発明に係るスイミングゴーグルの詳細を説明すると、以下のとおりである。
【０００９】
図１に斜視図で示されたスイミングゴーグル１は、一対のレンズ２と、各レンズ２に取り付けられたフレーム３と、バックル４を介してフレーム３に長さ調節可能に取り付けられたヘッドバンド６とを有し、左右のフレーム３が中央連結部５を介してつながっている。なお、図ではバックル４の一方が左眼用のフレーム３から外された状態にある。
【００１０】
レンズ２は、ポリカーボネートなどの硬質樹脂で形成されているもので、前面のレンズ部分７とレンズ部分７の周縁に沿って延びる周壁部分８とを有する。
【００１１】
フレーム３は、プラスチックエラストマーなどの柔軟弾性樹脂で形成されている可撓性のもので、前方に位置してレンズ２の周壁部分８に外側から当接する環状部１１と、後方に位置して着用者の顔面に密着する接顔パッド１２とを有し、環状部１１のうちでレンズ２の上方部分と下方部分とに位置する部位からは、上部アーム１３と下部アーム１４とがゴーグル１の後方へ向かって延び、両アーム１３，１４の後端部分が上下方向へ延びる連結部１６を介してつながっている。
【００１２】
図２は、図１のＩＩ−ＩＩ線断面図である。レンズ２は、周壁部分８の後方に周壁部分８を一周する溝部１８を有する。溝部１８にはフレーム３の環状部１１が嵌合し、レンズ２とフレーム３とが一体化している。バックル４寄りに位置するレンズ２の外端部では、溝部１８の直上に段差１９が形成され、フレーム３の前縁２０がこの段差１９に後方（図の下方）から当接している。
【００１３】
フレーム３は、中央連結部５と環状部１１とパッド１２と上下のアーム１３，１４とが一体に形成されたもので、環状部１１の外端部分１１Ａと環状部１１から延びる上下のアーム１３，１４をつなぐ連結部１６との間に透孔２１が形成されている（図１を併せて参照）。
【００１４】
バックル４は、フレーム３よりも硬質の樹脂で形成されている高剛性のもので、フック部２２とバンド挿通部２３とを有し、両部２２と２３との間に間隙２４が形成されている。バンド挿通部２３には複数の挿通孔２３Ａが形成されており、これらの孔２３Ａにバンド６が図示のように通される。フック部２２をフレーム３の前方から透孔２１へ挿入し、間隙２４とフレーム３の連結部１６とを嵌合させることによって、ヘッドバンド６がフレーム３に取り付けられる。必要ならば、バックル４は、その上下方向の幅を上下のアーム１３，１４間の寸法よりも僅かに大きくしたり、間隙２４を連結部１６の厚みよりも僅かに大きくすることによって、アーム１３，１４や連結部１６を弾性変形させた状態でフレーム３に取り付けられる。かような取り付け方のバックル４は、その取り付け取り外しが容易という特徴を有する。
【００１５】
図３は、レンズ２の平面図であり、フレーム３が仮想線で示されている。レンズ２は、中央連結部５寄りの内端部に周壁部分８から側方への張出し部２６を有し、張り出し部２６には２つの貫通孔２７が形成されている。
【００１６】
図４は、図３のＩＶ−ＩＶ線断面図であるが、この図ではフレーム３が実線で示されている。図から明らかなように、レンズ２の貫通孔２７は、フレーム３を形成している樹脂で充たされており、レンズ２とフレーム３とは外れることがないように一体化している。このようなレンズ２とフレーム３とでは、ヘッドバンド６によって一対のレンズ２が互いに離間する方向へ強く引張られた場合でも、レンズ２とフレーム３との間に水の浸入を許すような間隙が生じない。
【００１７】
再び図３において、ヘッドバンド６によって例えば上方アーム１３に張力Ａが作用すると、その張力Ａは、レンズ周壁部分８の接線方向の力Ｂと、フレーム３を周壁部分８に密着させる方向の力Ｃとなって作用する。かかる力Ｃによってレンズ２とフレーム３とは水の浸入を防ぐように密着する。
【００１８】
図５は、ゴーグル１の要部側面図であり、この図ではバックル４がフレーム３に取り付けられた状態で示されている。ゴーグル１の着用者が例えば水中に飛び込み、ヘッドバンド６にこれを図の上下方向、すなわち矢印Ｐ方向やＱ方向へ動かすような力が作用した場合、柔軟弾性樹脂からなり可撓性を有する上下のアーム１３，１４は、ヘッドバンド６の動きを吸収して、その動きが接顔パッド１２やレンズ２に伝わって着用者の顔面に対するレンズ２の位置が変化するということを防止する。
【００１９】
図６は、フレーム３の外端部を破断して示す図面である。ゴーグル１の着用者の頭のサイズに対応して、ヘッドバンド６は仮想線のヘッドバンド６Ａ，６Ｂ，６Ｃのように様々な方向へ延びる。そのときに、上下のアーム１３，１４は双頭矢印Ｘ−Ｘ方向へ動き、ヘッドバンド６の動きが接顔パッド１２にまでは及び難い。それゆえ、顔面に密着している接顔パッド１２は、ずれることがない。また、バックル４は、ヘッドバンド６やアーム１３，１４とともに矢印Ｘ−Ｘ方向へ動くから、バックル４に通されて折り重ねられた状態にあるヘッドバンド６は、ヘッドバンド６が様々な方向へ延びても、ゆるむことがない。
【００２０】
【発明の効果】
この発明に係るスイミングゴーグルは、フレームから後方へ延びる柔軟弾性樹脂からなる可撓性のアームがヘッドバンドの様々な動きを吸収するから着用者顔面に対するレンズの位置が安定している。
【図面の簡単な説明】
【図１】  スイミングゴーグルの斜視図。
【図２】  図１のＩＩ−ＩＩ線断面図。
【図３】  レンズの平面図。
【図４】  図３のＩＶ−ＩＶ線断面図。
【図５】  スイミングゴーグルの側面図。
【図６】  フレームの外端部を破断して示す図。
【符号の説明】
１    スイミングゴーグル
２    レンズ
３    フレーム
４    バックル
６    ヘッドバンド
１３，１４    アーム
１６    連結部
【図１】
0003744738.tif 000002
【図２】
0003744738.tif 000003
【図３】
0003744738.tif 000004
【図４】
0003744738.tif 000005
【図５】
0003744738.tif 000006
【図６】
0003744738.tif 000007